(57)【要約】【課題】市販のアルミ枠等を使い、通常の製造とは異なる方法で収納扉を作製し、表面にアルミ枠の縁材や枠巾が見えず、且つアルミ底目地を施した意匠性の高い製品が通常の収納木製扉と比べ、軽量で反りの発生しにくい構造を容易に行うことが可能な収納扉を提供すること。【解決手段】２枚以上の板状木材を貼り合せた木製パネルの外枠に、アルミニウム製の枠材を嵌め合わせてなる収納扉であって、前記２枚以上の板状木材の貼り合わせた部位に嵌合凹部を設け、前記アルミ枠に前記嵌合凹部に嵌合可能な嵌合凸部を有してなり、嵌め合わせた状態で表面からアルミ枠の殆どが見えなくなくように嵌合してなる。【選択図】  図１
2008214920.tif 000002
【特許請求の範囲】
【請求項１】
少なくとも２枚以上の板状木材を貼り合せた木製パネルの外枠に、アルミニウム製の枠材を嵌め合わせてなる収納扉であって、前記２枚以上の板状木材の貼り合わせた部位に嵌合凹部を設け、前記アルミ枠に前記嵌合凹部に嵌合可能な嵌合凸部を有してなり、嵌め合わせた状態で表面からアルミ枠の殆どが見えなくなくように嵌合してなることを特徴とする収納扉。
【請求項２】
前記表面側の板状木材が２枚以上の板状木材を隙間を介して配置してなり、前記隙間およびその両側の板状木材と、裏側の板状木材との間に、前記隙間を埋めるようにアルミニウム製の板状部材をそれが嵌合されるような嵌合部を設けた上で嵌合してなることを特徴とする収納扉。
【発明の詳細な説明】
【技術分野】
【０００１】
本発明は戸建て住宅、アパート、マンション及び非住宅等の建築物における室内に使用可能なアルミ枠を使った収納扉に関する。
【背景技術】
【０００２】
現在、室内で使用するアルミ枠を使った収納扉は単にアルミ枠の勘合溝に厚み３〜８ｍｍ程度の樹脂板や板硝子又は化粧パネルを差し込んだ形状が一般的である。
【０００３】
しかし、これらの収納扉はアルミ枠の縁材や枠巾が表面から見えるため単色又は木目柄等の化粧パネルとして使う場合には、インテリアとしての意匠性が損なうと云う問題点があった。
【０００４】
よって、アルミ縁を使った単色又は木目柄等の収納扉の形状は従来通り厚み１８〜３６ｍｍ程度の化粧パネルの左右木口又は四方木口面に、厚み１〜１０ｍｍ程度のアルミ材やアルミ箔貼り押出成型品を縁材として貼り付けた形状が一般的である。
【０００５】
しかし、これらの収納扉の場合には後々、品質クレームの要因である重量や反り等を解決するための問題点は残る。
【０００６】
又、アルミ縁を使った単色又は木目柄等の収納扉の形状では、そのパネル表面に縦及び横方向の底目地を入れる場合には、単に凹型の押出成型品や底目地材を勘合させるのが一般的であり、その意匠性や勘合方法の加工性に問題点があった。
【発明の開示】
【発明が解決しようとする課題】
【０００７】
本発明はこのような問題点を解決するためになされたものであり、その課題とするところは、市販のアルミ枠等を使い、通常の製造とは異なる方法で収納扉を作製し、表面にアルミ枠の縁材や枠巾が見えず、且つアルミ底目地を施した意匠性の高い製品が通常の収納木製扉と比べ、軽量で反りの発生しにくい構造を容易に行うことが可能な収納扉を提供することにある。
【課題を解決するための手段】
【０００８】
すなわち本発明の請求項１記載の発明は、少なくとも２枚以上の板状木材を貼り合せた木製パネルの外枠に、アルミニウム製の枠材を嵌め合わせてなる収納扉であって、前記２枚以上の板状木材の貼り合わせた部位に嵌合凹部を設け、前記アルミ枠に前記嵌合凹部に嵌合可能な嵌合凸部を有してなり、嵌め合わせた状態で表面からアルミ枠の殆どが見えなくなくように嵌合してなることを特徴とする収納扉である。
【０００９】
またその請求項２記載の発明は、前記表面側の板状木材が２枚以上の板状木材を隙間を介して配置してなり、前記隙間およびその両側の板状木材と、裏側の板状木材との間に、前記隙間を埋めるようにアルミニウム製の板状部材をそれが嵌合されるような嵌合部を設けた上で嵌合してなることを特徴とする収納扉である。
【発明の効果】
【００１０】
本発明の請求項１記載の発明により、アルミ枠の縁材厚や枠巾が表面から隠れて見えないようにした意匠性の高い、且つ軽量で反りの反りの発生しにくい構造の扉を製作することを特徴とした収納扉を提供することが可能となる。
【００１１】
本発明の請求項２記載の発明により、単色又は木目柄等の化粧パネルを分割させることで、各パネル四方木口面の１方又は２方の溝にアルミ材等を差し込むことで、縦又は横底目地が施された意匠性の高い収納扉を提供することが可能となる。
【発明を実施するための最良の形態】
【００１２】
以下に本発明を図面に基づき詳細に説明する。図１に本発明の収納扉の一実施例の左側面図、正面の構造を示す。側面からは、アルミ枠１とそれに貼りついた表面の板状木材からなる木製パネル（表）２が見える。正面からは、アルミ枠１の縁材や枠巾は木製パネル（表）２に隠れて表面から殆ど見えない。
【００１３】
正面には、略正方形の木製パネル（表）２が縦に並列して３つ設けられ、その間の２つの底目地からは底目地用アルミ板３が見える。木製パネル（表）２の設け方は特に限定するものではなく、縦方向でも設けても良いし、溝本数も特に限定されるものではない。また、木製パネル（表）２はその表面を適宜着色するか、あるいは単色や木目柄等の化粧シートを貼り合わせても良い。意匠性を高めるために木製パネル（表）２の側面や後述する木製パネル（裏）４と同様の色柄とすることが好適である。
【００１４】
図２に図１に示した一実施例の縦、横の断面の構造を示す。板状木材からなる木製パネル（表）２の裏面に、板状木材からなる木製パネル（裏）４を貼り合わせてなり、上下左右の端面面からアルミ枠が嵌め込まれてなる。
【００１５】
木製パネル（表）２の裏面の端部は、アルミ枠１の嵌合凸部を嵌め合わせ可能となるように厚みが薄くなることで段差が設けられ、その一部を木製パネル（裏）４との貼り合わせ部分と重ねることでアルミ枠１に設けられた嵌合凸部を嵌合可能な嵌合凹部を設けている。あるいは逆に、前記嵌合凹部は木製パネル（裏）４の表面側の厚みを薄くして均一な厚みの木製パネル（表）２と貼り合わせることで嵌合凹部を設けても良い。また、嵌合凸部と嵌合凹部の嵌合がしっかり行なわれるように、嵌合する部分のサイズに幅を設けた上でパッキング５などの弾力材を間に設けるようにしても良い。
【００１６】
図２のＣ−Ｃ断面図に、図１で示した一実施例の底目地用アルミ板３を設けた箇所の断面の構造を示す。２枚の板状木材からなる木製パネル（表）２の裏面に、板状木材からなる木製パネル（裏）４を貼り合わせてなり、底目地用アルミ板３を嵌め込むための嵌合部が、底目地用アルミ板３を設けた隙間の木製パネル（表）２の裏面の端部の厚みを薄くして段差を設けることで設けられてなる。この場合、前記木製パネル（表）２の裏面の端部の厚みを薄くする構造を、前記アルミ枠１を嵌め込むのに必要な嵌合凹部を設けるために薄くした構造と同じ厚さと段差の幅と設計することで、木製パネル（表）２の設計を略正方形とすれば製造上も施工上も簡略なものとなり好適である。しかしながらとくにこれに限定されるものではなく、底目地用アルミ板３を嵌め込めるように木製パネル（裏）４を適宜薄くして設けても良い。
【００１７】
図３に本発明の収納扉の組み立て工程の概略を示す。木製パネル（裏）４に、底目地用アルミ板３と必要な嵌合凹部を設けた複数の木製パネル（表）２とを貼り合わせ、その上下左右の四方より、端部を４５度に切断して組み合わせてネジ止めにより嵌め合わせ可能なアルミ枠１を嵌め合わせる。アルミ枠の大きさは、嵌め合わせた状態で表面からアルミ枠の殆どが見えなくなくように設計する。このようにすることにより、完成品を見た人が、どのように製造したのか不思議に思う趣のある印象を与えることが可能となる。
【実施例１】
【００１８】
アルミ枠１として、厚み２ｍｍのアルミニウム製押出板材を加工して図１〜３に示すようにしたものを用いた。幅、厚みともに２０ｍｍとした。板状木材からなる木製パネル（表）２と木製パネル（裏）４として、それぞれ厚み４ｍｍの合板の表面に厚み１ｍｍの木目単色の印刷を施した化粧シートを貼り合わせた後加工して図１〜３に示すようにしたものを用いた。嵌合部の幅は２．５ｍｍとし、塩化ビニル樹脂製のパッキングにより嵌合可能に設けた。
このようにして設けると、表面からは、木製パネル（表）２のみが見えるようになり、枠にわずかに１ｍｍ程度のアルミ枠１が見える程度となり、逆に側面からは、アルミ枠１が２０ｍｍに対して木製パネル（表）２は２．５ｍｍほどが見える程度となった。
【図面の簡単な説明】
【００１９】
【図１】本発明の収納扉の一実施例の左側面図、正面の外観を示す説明図である。
【図２】本発明の収納扉の一実施例の縦、横の断面の構造を示す説明図である。
【図３】本発明の収納扉の一実施例の組み立て工程の概略を示す説明図である。
【符号の説明】
【００２０】
１…アルミ枠
２…木製パネル（表）
３…底目地用アルミ板
４…木製パネル（裏）
５…パッキング
【図１】
2008214920.tif 000003
【図２】
2008214920.tif 000004
【図３】
2008214920.tif 000005